(57)【要約】【課題】遊技に必要な役物、構造物に対する高さの制限を緩和したパチンコ機を提供する。【解決手段】遊技盤３の前面に、遊技盤３を通過する遊技球を遊技者に見やすくすると共に遊技盤３から遊技者への遊技球の飛弾を防止するために、透明な強化ガラス、強化プラスチック等の防護板１１が装着されている。防護板１１が固定された遊技盤３は、前枠２に嵌め込まれ固定される。遊技盤３と該遊技盤３の前面に設けられた防護板１１との隙間Ｈ（約１３ｍｍ〜２５ｍｍ）よりも高さのある特別図柄表示装置１２が遊技盤３に設けられている。防護板１１を遊技盤３の上に閉じた時に、前記防護板１１には前記特別図柄表示装置１２が嵌入される凹部２１が遊技盤３に設けられた特別図柄表示装置１２の位置に対応して設けられている。前記凹部２１の深さは、遊技盤３に設けられた特別図柄表示装置１２の高さより僅かに深い。【選択図】　図１
2004041359.tif 000002
【特許請求の範囲】
【請求項１】
少なくとも遊技盤と、該遊技盤に設けられた遊技に必要な役物、構造物とを保護する防護板を前記遊技盤の前面に有するパチンコ機において、前記防護板を閉じた時に、前記防護板に前記遊技に必要な役物、構造物が嵌入される凹部が形成されていることを特徴とするパチンコ機。
【請求項２】
前記防護板は、前記遊技盤に取外し可能に設けられ、該遊技盤は、パチンコ機の外枠又は前枠に取外し可能に装着されていることを特徴とする請求項１に記載のパチンコ機。
【発明の詳細な説明】
【０００１】
【発明の属する技術分野】
本発明は、パチンコ機に関し、特に遊技に必要な役物、構造物に対する高さの制限を緩和したパチンコ機に関する。
【０００２】
【従来の技術】
従来のパチンコ機では、遊技盤と該遊技盤の前面に設けられた防護板（ガラス板）との隙間Ｈ（約１３ｍｍ〜２５ｍｍ）の間に遊技釘、風車、普通図柄表示装置作動ゲート、普通図柄表示装置、特別図柄表示装置、各種入賞口、表示灯などを設けていた。以下、遊技釘、風車、普通図柄表示装置作動ゲート、普通図柄表示装置、特別図柄表示装置、各種入賞口、表示灯などを「遊技に必要な役物、構造物」と称して用いる。一方、近年、遊技の多様化によって、役物、特に遊技盤中央に配置される特別図柄表示装置などは大型化、カラー化されている。遊技の多様化により前記表示装置に表示される図柄も複雑になるが、前記スペースに設けることのできる表示装置には限界があり、表示されている内容が見にくい場合もある。
【０００３】
前記問題点を解決する手段として、例えば特開平１１−４７３９５号公報に開示されているパチンコ機の表示装置の拡大装置がある。斯かる拡大装置は、表示装置の表示面に対応した位置のガラス板の表面、又は裏面に凸レンズを備え、該凸レンズを介して前記表示装置を覗くことで表示画面を拡大表示するものである。
【０００４】
また、従来のパチンコ機は、図６乃至図８に示すような構造である。即ち、図６に示すように、前枠２には遊技盤３、防護枠４、上皿５、下皿６、ハンドル部７等が装着されている。遊技盤３には、図示していない風車、大入賞口、アウト口等のほかに特別図柄表示装置１２などが設けられている。該遊技盤３は、前枠２に嵌入固定され、前枠２は図示していない外枠に回動自在に固定されている。そして、遊技盤３を前枠２に嵌入固定して、防護枠４を閉めると、該防護枠４に固定されている平坦な防護板１１が、遊技盤３と平行になる。そして、この時、図７に示すように、特別図柄表示装置１２は、ガラス板に当らない高さに制限されている。更に又、図８に示すように、役物や前記特別図柄表示装置１２を構成する部材２０は後に張り出している。
【０００５】
【発明が解決しようとする課題】
しかし、前記表示装置の拡大装置では、以下のような問題点があった。即ち、従来のパチンコ機では、遊技盤と該遊技盤の前面に設けられた防護板（ガラス板）との隙間Ｈは約１３ｍｍ〜２５ｍｍと少なく、かかる隙間Ｈに前記表示装置、役物などを配置するには、高さの制限がある。しかし、前記遊技盤に取り付けられる表示装置の表示画面の位置が前記レンズの焦点距離に一致していることが必要であり、表示装置の大きさ、あるいはレンズの焦点距離及び大きさに制限がある。また、従来のパチンコ機は、遊技場に設置されるとき、図示していない外枠から後に、あまり飛び出さないことが要求される。その結果、役物、表示装置などによって遊技に更なる興趣を持たせようとしても、役物、表示装置の高さの制限から実現できない場合があった。
【０００６】
また、遊技盤３を前枠２に嵌入固定して、防護枠４を閉める構造のパチンコ機において、前記防護枠４に固定されている平坦な防護板１１を加工した場合、その都度新たなパチンコ機として許可を得ることが必要となり、防護板１１の変更は、新しいパチンコ機を効率よく開発する上で好ましくない。
【０００７】
本発明は、かかる問題を解決して役物、表示装置の高さの制限を受けないパチンコ機を提供することを目的としてなされたものである。
【０００８】
【課題を解決するための手段】
本発明は上記目的を達成するために、請求項１記載のパチンコ機は、少なくとも遊技盤と該遊技盤に設けられた役物と前記遊技盤の前面防護板を有するパチンコ機において、前記防護板を閉じた時に、前記防護板に前記役物が嵌入される凹部が形成されていることを特徴とする。
【０００９】
請求項２に記載のパチンコ機は、請求項１記載のパチンコ機において、前記防護板は、前記遊技盤に取外し可能に設けられ、該遊技盤は、パチンコ機の外枠又は前枠に取外し可能に装着されていることを特徴とする。
【００１０】
【発明の実施の形態】
図１は、本発明におけるパチンコ機の分解斜視図である。本パチンコ機は、遊技盤３の前面に、遊技盤３を通過する遊技球を遊技者に見やすくすると共に遊技盤３から遊技者への遊技球の飛弾を防止するために、透明な強化ガラス、強化プラスチック等の防護板１１が装着されている。図２は、防護板１１を遊技盤３に装着した場合の実施形態を示す図である。図３、図４、図５は、防護板１１を遊技盤３に装着した場合の、それぞれの実施形態における一部断面図である。
【００１１】
以下、本発明の実施形態について図面により説明する。図１においては、本発明と関係のない遊技釘、各種の装飾品は発明の理解を妨げない範囲で省略してある。図２において後述するように、遊技盤３は、その側面を遊技盤枠３ａ、３ｂ、３ｃ、３ｄで囲まれている。図１に示すように、前枠２には前記遊技枠３ａ、３ｂ、３ｃ、３ｄに囲まれた遊技盤３、防護枠４、上皿５、下皿６、ハンドル部７等が装着されている。なお、前枠２は図示していない外枠に回動軸を中心に回動可能に装着されていてもよい。防護板１１が後述するようにして固定された遊技枠３ａ、３ｂ、３ｃ、３ｄに囲まれた遊技盤３は、前枠２に嵌め込まれ、従来から周知の方法で固定される。前記遊技盤３と該遊技盤３の前面に設けられた防護板１１との隙間Ｈ（約１３ｍｍ〜２５ｍｍ）よりも高さのある特別図柄表示装置１２が遊技盤３に設けられている。
【００１２】
遊技球が遊技盤から飛び出さないように遊技盤３に設けられた透明の防護板１１には、該防護板１１を遊技盤３の上に閉じた時に、前記防護板１１に前記特別図柄表示装置１２が嵌入される位置に凹部２１が形成されている。この防護板１１は、加工の容易な強化プラスチックなどにより後述するように形成されている。なお、以下の説明では、前記防護板１１に嵌入される遊技に必要な役物、構造物として前記特別図柄表示装置１２のみが設けられているものとして説明するが、これ以外であってもよく、その場合には、後述するように前記防護板１１に複数の凹部を設け、遊技盤３に設けられた前記遊技に必要な役物、構造物の位置にそれぞれ嵌入するように対応して設けられている。
【００１３】
図１において、前記防護板１１に設けられた凹部２１は、遊技盤３に設けられた特別図柄表示装置１２の位置に対応して設けられている。即ち、防護板１１を遊技盤３の上に固定したときに、遊技盤３に設けられた相対応する特別図柄表示装置１２は前記凹部２１に一致して嵌入するように設けられている。そして、前記凹部２１の深さは、遊技盤３に設けられた特別図柄表示装置１２の高さより僅かに深い。
【００１４】
又、防護板１１を遊技盤３に固定した時に特別図柄表示装置１２と凹部との間には、遊技球が入らないだけの隙間がある。従って、特別図柄表示装置１２の高さが遊技盤３と該遊技盤３の前面に設けられた防護板１１との隙間Ｈよりも高くても、防護板１１を遊技盤３の上に固定したときに防護板１１が邪魔にならない。更に前記凹部２１と特別図柄表示装置１２との間に遊技球が侵入し、特別図柄表示装置１２の表示の邪魔にならない。
【００１５】
図２は、前述した防護板１１を固定する１実施形態の図である。遊技盤３は、その側面を遊技盤枠３ａ、３ｂ、３ｃ、３ｄで囲まれている。該遊技盤枠３ａ、３ｂ、３ｃ、３ｄの高さＫは、防護板１１が遊技盤枠３ａ、３ｂ、３ｃ、３ｄに固定された時に防護板１１の裏面と遊技盤３の遊技領域面との間の距離が前記隙間Ｈと等しいか僅かに大きく、遊技球Ｐが遊技領域中を通過可能である。遊技盤枠３ａ、３ｂ、３ｃ、３ｄと前記防護板１１とは、ネジ３１ａ、３１ｂ、３１ｃ、３１ｄにより四隅で固定されている。なお、これ以外に、例えば、防護板１１の一方の端を回動可能に遊技盤枠３ｃに固定して、他方の端を遊技盤枠３ａにフックなどで止めてもよく、これ以外に防護板１１が遊技盤枠から取外しできる構造であればよい。このように、防護板１１が遊技盤３から取外しできるように装着されていることにより、修理が容易であると共に、防護板１１が遊技盤３に一体的に設けられていることにより、遊技に必要な役物、構造物とともに防護板１１を変更しても、遊技盤としての許可を得ればよく、従来のように、パチンコ機として許可を取らずにすみ、新機種の開発期間の短縮が図れる。
【００１６】
図３は、特別図柄表示装置１２を防護板１１と遊技盤３との間に装着した場合の一部断面図である。防護板１１に形成された凹部２１に特別図柄表示装置１２が嵌入されており、防護板１１と遊技盤３との間には遊技釘１３が立設されていて、防護板１１の裏面と遊技盤３の遊技領域面との間の距離が前記隙間Ｈと等しいか僅かに大きく、遊技球Ｐが遊技領域中を通過可能である。又、前記凹部２１に嵌入された特別図柄表示装置１２と防護板１１との隙間は、遊技球Ｐが浸入できない隙間である。図３より明らかなように、特別図柄表示装置１２の高さが隙間Ｈより高くても、前記凹部２１に嵌入され、防護板１１の凸になっている部分に特別図柄表示装置１２の表示面が近接して、遊技者が前記特別図柄表示装置１２の表示内容を容易に確認することができる。
【００１７】
図４は、特別図柄表示装置１２の全部の一部、例えば左右、周囲などに人形などの飾り３０が設けられている場合の一部断面図である。防護板１１に形成された凹部２１に飾り３０と特別図柄表示装置１２が嵌入されており、防護板１１と遊技盤３との間には遊技釘１３が立設されていて、防護板１１の裏面と遊技盤３の遊技領域面との間の距離が前記隙間Ｈと等しいか僅かに大きく、遊技球Ｐが遊技領域中を通過可能である。又、前記凹部２１に嵌入された特別図柄表示装置１２の隙間は、遊技球Ｐが浸入できない隙間である。図４より明らかなように、飾り３０と特別図柄表示装置１２の高さが隙間Ｈより高くても、前記凹部２１に嵌入され、防護板１１の凸になっている部分に飾り３０と特別図柄表示装置１２が近接して、飾り３０があっても遊技者が前記特別図柄表示装置１２の表示内容を容易に確認することができる。
【００１８】
図５は、特別図柄表示装置１２の後方に、役物や前記特別図柄表示装置１２を構成する部材２０が設けられている場合の一部断面図である。防護板１１に形成された凹部２１に特別図柄表示装置１２が嵌入されており、防護板１１と遊技盤３との間には遊技釘１３が立設されていて、防護板１１の裏面と遊技盤３の遊技領域面との間の距離が前記隙間Ｈと等しいか僅かに大きく、遊技球Ｐが遊技領域中を通過可能である。又、前記凹部２１に嵌入された特別図柄表示装置１２の隙間は、遊技球Ｐが浸入できない隙間である。そして部材２０は、遊技盤３を貫通して設けられている。図５より明らかなように、部材２０が遊技盤３を貫通していることにより、図８に比べて遊技盤３の後方が短くなっている。その結果、遊技場に設置されるとき、図示していない外枠から後に、あまり飛び出さないので遊技場の管理者が出入りするスペースを大きくできる。
【００１９】
【発明の効果】
請求項１記載のパチンコ機によれば、少なくとも遊技盤と該遊技盤に設けられた遊技に必要な役物、構造物と前記遊技盤の前面防護板を有するパチンコ機において、前記防護板を閉じた時に、前記防護板に前記遊技に必要な役物、構造物が嵌入される凹部が形成されていることにより、遊技に必要な役物、構造物の高さの制限を緩和でき、パチンコ機の設計の自由度がまし、各種の役物、構造物を使用でき、遊技の興趣を高めることができる。
【００２０】
請求項２記載のパチンコ機によれば、前記防護板は、前記遊技盤に取外し可能に設けられ、該遊技盤は、防護板が遊技盤に一体的に設けられていることにより、遊技に必要な役物、構造物とともに防護板を変更しても、遊技盤としての許可を得ればよく、従来のように、パチンコ機として許可を取らずにすむ。その結果、新しいパチンコ機の開発期間が短縮される。
【図面の簡単な説明】
【図１】本発明におけるパチンコ機の分解斜視図である。
【図２】防護板を遊技盤に装着した場合の実施形態を示す図である。
【図３】防護板を遊技盤に装着した場合の、第１の実施形態における一部断面図である。
【図４】防護板を遊技盤に装着した場合の、第２の実施形態における一部断面図である。
【図５】防護板を遊技盤に装着した場合の、第３の実施形態における一部断面図である。
【図６】従来のパチンコ機の分解斜視図である。
【図７】従来のパチンコ機の防護板を装着した場合の第１の実施形態を示す図である。
【図８】従来のパチンコ機の防護板を装着した場合の第２の実施形態を示す図である。
【符号の説明】
２　前枠
３　遊技盤
５　上皿
６　下皿
７　ハンドル部
１１　防護板
１２　特別図柄表示装置
１３　遊技釘
２０　部材
２１　凹部
Ｐ　遊技球
【図１】
2004041359.tif 000003
【図２】
2004041359.tif 000004
【図３】
2004041359.tif 000005
【図４】
2004041359.tif 000006
【図５】
2004041359.tif 000007
【図６】
2004041359.tif 000008
【図７】
2004041359.tif 000009
【図８】
2004041359.tif 000010